(57)【特許請求の範囲】
【請求項１】
折り畳み可能なフレームと、このフレームの下端部に設けた車輪と、フレームの上部に設けた座席部とからなり、全体を偏平に折り畳むことができるように形成されたベビーカーと、折り畳んだベビーカーが出し入れ可能に納まる収納袋とからなり、折り畳んだベビーカーを収納袋内に収納して携行できるようにした携帯ベビーカーにおいて、
前記フレームが、クロスさせた脚杆を両側に対向配置し、クロス部分を角度可変及び脚杆の軸方向に移動可能となるジョイント部材で結合すると共に、両側のジョイント部材を横軸で互いに結合し、各脚杆の下端に車輪を回転可能に取り付け、座席部の下部四隅に枢止した上端を支点に脚杆のクロス角度を変えることで折り畳み可能となるよう形成されており、座席部の下に設けたストッパ部材を横軸に係止することでフレームの引き延ばし状態を固定化できるようにしたことを特徴とする携帯ベビーカー。
【請求項２】
前記座席部が、フレーム上に固定した座席シートと、この座席シートの後端部に取り付けられ、起伏角度の調整が自在で座席シート上に折り畳むことができる背もたれと、背もたれに引き出し可能となるよう取り付けられた手押しハンドルとで形成されていることを特徴とする請求項１に記載の携帯ベビーカー。
【請求項３】
前記収納袋が、手提げ袋で形成されている請求項１又は２に記載の携帯ベビーカー。
【請求項４】
前記収納袋が、ショルダー袋で形成されている請求項１又は２に記載の携帯ベビーカー。
【請求項５】
前記収納袋が、背負い袋で形成されている請求項１又は２に記載の携帯ベビーカー。
【請求項６】
前記収納袋の外面に安全灯を取り付けた請求項１乃至５の何れか１項に記載の携帯ベビーカー。
【発明の詳細な説明】
【０００１】
【発明の属する技術分野】
この発明は、持ち運びが簡単に行える便利な携帯ベビーカーに関する。
【０００２】
【従来の技術】
子供連れで外周するときベビーカーは非常に便利であり、子供を抱いたり背負うような負担から開放される。
【０００３】
ところで、ベビーカーには、安全性や強度、操作性は当然ながら、軽量で小さく折り畳むことができ、使用しない時に嵩低くできて携帯に便利であるという要求がある。
【０００４】
このため、従来のベビーカーにおいては、全体を棒状となるよう折り畳める構造のものが種々提案されている。
【０００５】
【発明が解決しようとする課題】
しかしながら、上記のような従来のベビーカーは、折り畳むことによって全体が棒状となる長い形状になるため、折り畳んでも全体の形状が十分に嵩低くならないのが実情であり、このような長い棒状の形態では携行に不便であるだけでなく、折り畳んだベビーカーを直接手で持って携行するのは、見た目に不体裁である。
【０００６】
そこで、この発明の課題は、全体を偏平に折り畳むことができ、使用しない時全体の形状を十分に嵩低くすることができ、しかも携行が見た目に体裁よく行える携帯ベビーカーを提供することにある。
【０００７】
【課題を解決するための手段】
上記のような課題を解決するため、請求項１の発明は、折り畳み可能なフレームと、このフレームの下端部に設けた車輪と、フレームの上部に設けた座席部とからなり、全体を偏平に折り畳むことができるように形成されたベビーカーと、折り畳んだベビーカーが出し入れ可能に納まる収納袋とからなり、折り畳んだベビーカーを収納袋内に収納して携行できるようにした携帯ベビーカーにおいて、前記フレームが、クロスさせた脚杆を両側に対向配置し、クロス部分を角度可変及び脚杆の軸方向に移動可能となるジョイント部材で結合すると共に、両側のジョイント部材を横軸で互いに結合し、各脚杆の下端に車輪を回転可能に取り付け、座席部の下部四隅に枢止した上端を支点に脚杆のクロス角度を変えることで折り畳み可能となるよう形成されており、座席部の下に設けたストッパ部材を横軸に係止することでフレームの引き延ばし状態を固定化できるようにした構成を採用したものである。
【０００９】
請求項２の発明は、請求項１の発明において、前記座席部が、フレーム上に固定した座席シートと、この座席シートの後端部に取り付けられ、起伏角度の調整が自在で座席シート上に折り畳むことができる背もたれと、背もたれに引き出し可能となるよう取り付けられた手押しハンドルとで形成されている構成を採用したものである。
【００１０】
請求項３の発明は、請求項１又は２の発明において、前記収納袋が、手提げ袋で形成されている構成を採用したものである。
【００１１】
請求項４の発明は、請求項１又は２の発明において、前記収納袋が、ショルダー袋で形成されている構成を採用したものである。
【００１２】
請求項５の発明は、請求項１又は２の発明において、前記収納袋が、背負い袋で形成されている構成を採用したものである。
【００１３】
請求項６の発明は、請求項１乃至５のいずれか１項の発明において、前記収納袋の外面に安全灯を取り付けた構成を採用したものである。
【００１４】
【発明の実施の形態】
以下、この発明の実施の形態を図示例と共に説明する。
【００１５】
図示のように、この発明の携帯ベビーカーは、全体を偏平に折り畳む事ができるように形成されたベビーカー１と、折り畳んだベビーカー１を出し入れ可能に収納する収納袋２との組み合わせからなり、ベビーカー１は、図１のように、折り畳み可能なフレーム３と、このフレーム３の下端部に設けた車輪４と、フレーム３の上部に設けた座席部５とで形成されている。
【００１６】
上記フレーム３は、クロスさせたパイプ製の一対の脚杆６を両側に対向配置し、合計４本となる各脚杆６の下端に車輪４を回転可能に取り付け、クロス部分を角度可変及び脚杆６の軸方向に移動可能となるジョイント部材７で結合し、両側のジョイント部材７を横軸８で互いに結合し、座席部５の下部四隅に枢止した上端を支点に脚杆６のクロス角度を変えることで折り畳み可能となり、座席部５と横軸８の間に設けたスプリング９で各脚杆６に座席部５の下面に向けて重なる方向の折り畳み弾性が付与され、座席部５の下面には、座席部５の下面に重なる状態から下向きにすることによって、下方に引いた横軸８に係合してフレーム３の上下に引き延ばした状態を保持し、ベビーカー１を移動可能な状態にするためのストッパー部材１０が取り付けられている。
【００１７】
なお、後輪となる車輪４には、足で操作することのできるブレーキストッパー１１が設けられている。
【００１８】
上記座席部５は、フレーム３で支持された座席シート１２と、この座席シート１２の後端部に角度調整ヒンジ機構１３を介して取り付けられ、起伏角度の調整が自在で座席シート１２上に折り畳むことができるリクライニング式の背もたれ１４と、背もたれ１４に上端部から上方に引き出し可能となるよう取り付けられたパイプ製の手押しハンドル１５とで形成され、座席シート１２の下面には、図４のように、フレーム３を折り畳んだ時、脚杆６とこれに取り付けた車輪４が納まる前後方向の溝１６が両側に設けられている。
【００１９】
上記フレーム３は、その折り畳み時に座席シート１２の下面に重なり、座席部５は手押しハンドル１５を押し込んだ背もたれ１４を座席シート１２の上に重ねることにより、ベビーカー１は図３で示すように、偏平な略矩形状の嵩低い姿になる。
【００２０】
なお、座席部５における座席シート１２と背もたれ１４は、図２で示したように、内部にスプリング１７を組み込み、クッション性を良くして乗り心地を向上させている。
【００２１】
上記のように、偏平な嵩低い姿に折り畳んだベビーカー１を収納して体裁よく手軽に携行するための収納袋２は、折り畳んだベビーカー１がその内部に納まる大きさを有し、開閉できる口部から出し入れできるようになっている。
【００２２】
図５の収納袋２は、手提げ袋２ａに形成された例を示し、提げ手２ｂを握ってベビーカー１が携行できるようになっていると共に、図６の収納袋２は、ショルダー袋２ｃに形成された例であり、肩紐２ｄで肩に掛けてベビーカー１を携行できることになる。
【００２３】
また、図７の収納袋２は、リュックサックのような背負い袋２ｅに形成されている例であり、肩紐２ｆで背負い袋２ｅを背負うことによりベビーカー１を携行できる。
【００２４】
このようなショルダー袋２ｃや背負い袋２ｅは、ベビーカー１を収納して携行するとき、両手が空くことになり、子供連れの外出には両手が自由に使えることで非常に便利であると共に、各例の収納袋２において、シグナル灯、ネオン灯等安全灯１８を外面の適当な位置に取り付けておき、夜間携行時にこれらを点灯や点滅させることにより、携行時の歩行に対する安全性を向上させるようにしておくことができる。
【００２５】
この発明の携帯ベビーカーは、上記のような構成であり、図３のように、嵩低い姿に折り畳んだベビーカー１を収納袋２内に収納し、図５乃至図７に示したように、子供連れの外出時等にベビーカー１を収納袋２に入れたまま携行する。
ベビーカー１に子供を乗せる場合は、収納袋２内からベビーカー１を取り出し、フレーム３の横軸８を手で引き下げて各脚杆６を下方に回動させ、座席部５の下に設けたストッパー部材１０を下方に回動させて横軸８に係止することにより、フレーム３の引き延ばし状態を固定化し、車輪４を接地させた状態で座席部５の背もたれ１４を所望の角度に引きおこし、背もたれ１４から手押しハンドル１５を引き出せば、ベビーカー１の組み立てが完了し、座席部５の座席シート１２に子供を座らせることにより、ベビーカー１に子供を乗せて自由に移動することができる。
【００２６】
この時、収納袋２は空になるので他の品物の収納に利用できる。
【００２７】
また、ベビーカー１を折り畳むときは、上記した引き延ばし時と逆の操作によって行うことができる。
【００２８】
【発明の効果】
以上のように、この発明によると、折り畳み可能なフレームと、このフレームの下端部に設けた車輪と、フレームの上部に設けた座席部とからなるベビーカーを、折り畳んだ状態で収納袋内に収納して携行できるようにした携帯ベビーカーにおいて、前記フレームが、クロスさせた脚杆を両側に対向配置し、クロス部分を角度可変及び脚杆の軸方向に移動可能となるジョイント部材で結合すると共に、両側のジョイント部材を横軸で互いに結合し、各脚杆の下端に車輪を回転可能に取り付け、座席部の下部四隅に枢止した上端を支点に脚杆のクロス角度を変えることで折り畳み可能となるよう形成されており、座席部の下に設けたストッパ部材を横軸に係止することでフレームの引き延ばし状態を固定化できるようにした構成を採用したので、ベビーカーが全体を偏平に折り畳むことができ、使用しない時全体の形状を十分に嵩低くすることができ、ベビーカーを収納袋内に収納して携行できるので、子供連れの外出が手軽になり、しかも、ベビーカーの携行が見た目に体裁よく行える。
【図面の簡単な説明】
【図１】ベビーカーの引き延ばし状態を示す側面図
【図２】ベビーカーの引き延ばし状態を示す一部切り欠き平面図
【図３】ベビーカーの折り畳み状態を示す側面図
【図４】（Ａ）はベビーカーの折り畳み状態を示す底面図
（Ｂ）はベビーカーの折り畳み状態を示す座席部の正面図
【図５】折り畳み状態のベビーカーを収納する手提げ袋の斜視図
【図６】折り畳み状態のベビーカーを収納するショルダー袋の斜視図
【図７】折り畳み状態のベビーカーを収納する背負い袋の斜視図
【符号の説明】
１      ベビーカー
２      収納袋
３      フレーム
４      車輪
５      座席部
６      脚杆
７      ジョイント部材
８      横軸
９      スプリング
１０    ストッパー部材
１１    ブレーキストッパー
１２    座席シート
１３    ヒンジ機構
１４    背もたれ
１５    手押しハンドル
１６    溝
１７    スプリング
１８    安全灯
【図１】
0004279969.tif 000002
【図２】
0004279969.tif 000003
【図３】
0004279969.tif 000004
【図４】
0004279969.tif 000005
【図５】
0004279969.tif 000006
【図６】
0004279969.tif 000007
【図７】
0004279969.tif 000008